(57)【要約】【課題】  従来に比べてより容易に活用できるシステムを提供すること。【解決手段】本発明の農業管理支援システム１００は、端末装置５０から入力された農薬又は肥料の使用量である使用量データを受信する制御部２３と、農薬又は肥料の在庫量である在庫量データを記憶する記憶部２５と、を備え、制御部２３は、受信した使用量データと記憶部２５における在庫量データとに基づき所定の演算を実行するとともに、所定の演算の結果に基づくエラー報知を端末装置５０に出力するためのエラー報知データを端末装置５０に送信することを特徴とする。【選択図】図１
2020013184.tif 000002
【特許請求の範囲】
【請求項１】
端末装置から入力された農薬又は肥料の使用量である使用量データを受信する受信部と、
農薬又は肥料の在庫量である在庫量データを記憶する記憶部と、
前記受信部により受信した前記使用量データと前記記憶部における前記在庫量データとに基づき所定の演算を実行する演算部と、
前記演算部における前記所定の演算の結果に基づく所定の情報を前記端末装置に出力するための出力データを前記端末装置に送信する送信部と、
を備えたことを特徴とする農業管理支援システム。
【請求項２】
請求項１に記載の農業管理支援システムにおいて、
前記演算部は、前記使用量データと前記在庫量データとを比較して、前記農薬又は肥料の使用量が前記農薬又は肥料の在庫量に比べて多いか否かの前記所定の演算を実行し、
前記送信部は、前記演算部における前記所定の演算の結果において、前記農薬又は肥料の使用量が前記農薬又は肥料の在庫量に比べて多いことに関する前記所定の情報を出力するための前記出力データを送信する
ことを特徴とする農業管理支援システム。
【発明の詳細な説明】
【技術分野】
【０００１】
本発明は、適正な農業の実践を実行するための農場等に対する管理を支援するための農業管理システムに関する。
【背景技術】
【０００２】
近年、適正な農業の実践が実行されている農場等に対して第三者機関が認証を行う制度であるＧＧＡＰ（Ｇｒｏｂａｌ  Ｇｏｏｄ  Ａｇｒｉｃｕｌｔｕｒａｌ  Ｐｒａｃｔｉｃｅ）認証、ＡＳＩＡＧＡＰ（ＡＳＩＡ  Ｇｏｏｄ  Ａｇｒｉｃｕｌｔｕｒａｌ  Ｐｒａｃｔｉｃｅ）認証、ＪＧＡＰ（Ｊａｐａｎ  Ｇｏｏｄ  Ａｇｒｉｃｕｌｔｕｒａｌ  Ｐｒａｃｔｉｃｅ）認証等が注目されている。この認証においては、農薬や肥料の使用量、農薬や肥料の使用に関する管理といった多岐に亘る内容に対して予め定められた基準を満たすことが要件となっており、認証を受けようとする農場等の管理者にとっては、複雑な基準を満たすように管理することは難しいものであった。そのため、第三者機関による認証の審査の前に、例えば、ＧＡＰコンサルタントやＪＧＡＰ指導員といった当該各基準に精通した者による指導を受けることで、各基準を満たすように農場等を改善したりするようにしていた。
【０００３】
この各基準の要件は、多岐の内容に亘ったチェック項目があり、複雑なものであるため、精通したＧＡＰコンサルタントやＪＧＡＰ指導員にとっても、漏れのないようにチェックしたり指導したりすることは容易なものではないため、指導員が容易にチェック項目の確認や指導を行うために利用するシステムが提案されていた（例えば、特許文献１を参照。）。
【先行技術文献】
【特許文献】
【０００４】
【特許文献１】特開２０１５−１３５５５５号公報
【発明の概要】
【発明が解決しようとする課題】
【０００５】
そこで、農場等の管理者である農業従事者としては、コンサルタントや指導員による指導を受ける前に、可能な限り当該基準の要件を満たすように改善しようとして、上述した特許文献１に記載されたシステムを活用することが要望されていた。しかしながら、このシステムは、各基準に精通したコンサルタント等を対象としたシステムであるため、農業従事者にとって容易に活用できるものではなかった。
【０００６】
そこで、本発明の目的は、従来に比べてより容易に活用できるシステムを提供することである。
【課題を解決するための手段】
【０００７】
本発明は、上述の課題の少なくとも一部を解決するためになされたものであり、以下の適用例として実現することが可能である。なお、本欄における括弧内の参照符号や補足説明等は、本発明の理解を助けるために、後述する実施形態との対応関係を示したものであって、本発明を何ら限定するものではない。
【０００８】
本発明における適用例１の農業管理支援システム（１００）は、端末装置（５０）から入力された農薬又は肥料の使用量である使用量データを受信する受信部（２３）と、農薬又は肥料の在庫量である在庫量データを記憶する記憶部（２５）と、前記受信部により受信した前記使用量データと前記記憶部における前記在庫量データとに基づき所定の演算を実行する演算部（２３）と、前記演算部における前記所定の演算の結果に基づく所定の情報を前記端末装置に出力するための出力データを前記端末装置に送信する送信部（２３）と、を備えることを要旨とする。
【０００９】
本発明における適用例２の農業管理支援システム（１００）は、適用例１の農業管理支援システムであって、前記演算部は、前記使用量データと前記在庫量データとを比較して、前記農薬又は肥料の使用量が前記農薬又は肥料の在庫量に比べて多いか否かの前記所定の演算を実行し、前記送信部は、前記演算部における前記所定の演算の結果において、前記農薬又は肥料の使用量が前記農薬又は肥料の在庫量に比べて多いことに関する前記所定の情報を出力するための前記出力データを送信することを要旨とする。
【図面の簡単な説明】
【００１０】
【図１】第１実施形態の農業管理支援システム１００の構成の一例を示す図であり、（ａ）は、農業管理支援システム１００の概略の構成を示すブロック図であり、図１（ｂ）は、管理装置２０の概略の構成を示すブロック図である。
【図２】第１実施形態の管理装置２０の記憶部２５に記憶されたデータ構成の一例を示す図であり、（ａ）は、農薬在庫データの一例を示す図であり、（ｂ）は、肥料在庫データの一例を示す図である。
【図３】第１実施形態の管理装置２０における基本処理の流れを示すフローチャートである。
【図４−１】農薬入庫台帳フォーマット４００の一例を示す図である。
【図４−２】肥料入庫台帳フォーマット４５０の一例を示す図である。
【図５−１】農薬使用記録フォーマット５００の一例を示す図である。
【図５−２】肥料使用記録フォーマット５５０の一例を示す図である。
【図６−１】農薬使用記録フォーマット５００におけるエラー報知の一例を示す図である。
【図６−２】肥料使用記録フォーマット５５０におけるエラー報知の一例を示す図である。
【図７】第２実施形態の管理装置２０の記憶部２５に記憶されたデータ構成の一例を示す図であり、（ａ）は、農薬成分データの一例を示す図であり、（ｂ）は、品種別有効成分データの一例を示す図である。
【図８】第２実施形態の管理装置２０における基本処理の流れを示すフローチャートである。
【図９】農薬使用記録フォーマット５００におけるサポート報知の一例を示す図である。
【発明を実施するための形態】
【００１１】
以下、本発明が適用された実施形態について図面を用いて説明する。なお、本発明の実施の形態は、下記の実施形態に何ら限定されることはなく、本発明の技術的範囲に属する限り種々の形態を採りうる。
【００１２】
［第１実施形態の説明］
図１、図２に基づき、本発明の第１実施形態の農業管理支援システム１００の構成について説明する。図１は、第１実施形態の農業管理支援システム１００の構成の一例を示す図であり、（ａ）は、農業管理支援システム１００の概略の構成を示すブロック図であり、（ｂ）は、管理装置５０の概略の構成を示すブロック図である。図２は、第１実施形態の管理装置２０の記憶部２５に記憶されたデータ構成の一例を示す図であり、（ａ）は、農薬在庫データの一例を示す図であり、（ｂ）は、肥料在庫データの一例を示す図である。
【００１３】
図１（ａ）に示すように、農業管理支援システム１００は、管理装置２０、複数台の端末装置５０、および通信ネットワーク６０から構成されている。なお、本実施形態では通信ネットワークとしてインターネットを用いるため、以下、通信ネットワーク６０をインターネット６０とも呼ぶ。端末装置５０は、農業管理支援システム１００を利用する農場における農業従事者等が利用するものであり、例えば、種々の制御や演算を実行する制御部、制御部による演算の結果等を出力する出力部、および種々のデータ等を入力するための入力部等を備えている一般的なパーソナルコンピュータである。また、端末装置５０は、その他にも、スマートフォン等の携帯型の端末装置であってもよい。なお、この端末装置５０を利用する農業従事者等のことを、以下では、端末利用者と称する。
【００１４】
図１（ｂ）に示すように、管理装置２０は、インターネット６０を介して複数台の端末装置５０と通信可能である、いわゆるサーバ機であり、制御部２３を備える本体部２１、および記憶部２５を備えている。制御部２３は、図示しないＣＰＵ、ＲＯＭ、ＲＡＭ及びＩ／Ｏを備えており、ＲＯＭに格納されたプログラムによる種々の演算、インターネット６０を介した端末装置５０とのデータ等の送受信、および記憶部２５とのデータの送受信などの制御を実行する。また、管理装置２０は、本体部２１において、図示しないキーボード等の入力部や入力部で入力された内容を表示する液晶画面等の表示部を備え、管理装置２０の管理者による種々の操作が可能に構成されていてもよい。
【００１５】
図２に示すように、記憶部２５には、種々のデータが記憶されており、農薬在庫データ、肥料在庫データが記憶されている。図２（ａ）に示すように、農薬在庫データは、農業管理支援システム１００の利用者（端末利用者）にて保持／保管している農薬の在庫数を、農薬名称（農薬の種類）毎に、当該農薬の入庫日と消費期限の年月である有効年月とともに関連付けたデータベースとして記憶されているデータである。また、図２（ｂ）に示すように、肥料在庫データは、農業管理支援システム１００の利用者（端末利用者）にて保持／保管している肥料の在庫数を、肥料名称（肥料の種類）毎に、当該肥料の入庫日と関連付けたデータベースとして記憶部２５に記憶されているデータである。さらに、端末装置５０からの要求に応じて端末装置５０に表示させる種々のフォーマットデータ（後述する農薬入庫台帳フォーマット、肥料入庫台帳フォーマット４５０、農薬使用記録フォーマット５００、および肥料使用記録フォーマット５５０を表示するためのフォーマットデータ等）や後述するエラー報知等の報知内容を端末装置５０に表示させる種々の報知データ、当該フォーマットを介して端末装置５０から入力されたデータに基づく種々のデータ（農薬使用データ、肥料使用データ等）、も記憶されている。
【００１６】
図３を用いて、次に、管理装置２０で実行される基本処理について説明する。図３は、第１実施形態の管理装置２０における基本処理の流れを示すフローチャートである。図３に示すように、管理装置２０は、Ｓ３１０で端末装置５０において所定のフォーマットの表示に関する要求が端末装置５０からあるか否かを判定する。そして、端末装置５０からの所定のフォーマットの表示に関する要求があると判定した場合（Ｓ３１０でＹＥＳ）は、Ｓ３１５で当該要求に応じた所定のフォーマットデータを端末装置５０へ送信する。一方、端末装置５０からの所定のフォーマットの表示に関する要求がなかったと判定した場合（Ｓ３１０でＮＯ）は、Ｓ３１５の所定のフォーマットデータの端末装置５０への送信を実行しないで、Ｓ３２０へ移行する。つまり、これらの処理によって、例えば、端末利用者によって端末装置２０で種々のフォーマットの表示をする旨の操作があった場合には、その操作に応じたフォーマットが端末装置５０において表示されることとなる。
【００１７】
次に、管理装置２０は、Ｓ３２０で端末装置５０からの入力情報があるか否かを判定する。そして、端末装置５０からの入力情報があると判定した場合（Ｓ３２０でＹＥＳ）は、Ｓ３２５で当該入力情報に基づき所定の演算処理を実行する。一方、端末装置５０からの入力情報がないと判定した場合（Ｓ３２０でＮＯ）は、この基本処理を終了する。つまり、これらの処理によって、端末装置５０において表示されているフォーマットに沿って、端末利用者からの所定の情報の入力があった場合、例えば、後述する農薬の在庫数の更新に関するデータの入力があった場合には、記憶部２５における農薬在庫データの在庫数のデータに基づく加算／減算等の演算処理が実行されることとなる。
【００１８】
次に、管理装置２０は、Ｓ３２５での所定の演算処理の結果に基づいて、Ｓ３４０でエラー報知を実行するか否かを判定する。そして、エラー報知を実行すると判定した場合（Ｓ３４０でＹＥＳ）は、Ｓ３４５でエラー報知を実行してからこの基本処理を終了する。一方、エラー報知を実行しないと判定した場合（Ｓ３４０でＮＯ）は、エラー報知を実行しないで、Ｓ３６０で所定の演算処理の結果を記憶部に格納してからこの基本処理を終了する。つまり、これらの処理によって、例えば、農薬の在庫数以上の農薬を使用した旨を入力したりすると、エラー報知を実行されることで端末装置５０にエラー報知が表示され、端末利用者はエラーである旨を認知することができるととともに、当該入力情報は記憶部２５に格納されないこととなる。
【００１９】
図４−１〜図５−２を用いて、次に、記憶部２５に記憶されている種々のフォーマットデータについて説明する。図４−１は、農薬入庫台帳フォーマット４００の一例を示す図であり、図４−２は、肥料入庫台帳フォーマット４５０の一例を示す図である。図５−１は、農薬使用記録フォーマット５００の一例を示す図であり、図５−２は、肥料使用記録フォーマット５５０の一例を示す図である。
【００２０】
図４−１に示すように、農薬入庫台帳フォーマット４００は、端末利用者が新たに農薬を保管等する場合に、農薬在庫データを更新するために所定の情報を入力するためのフォーマットである。農薬入庫台帳フォーマット４００は、保存ボタン４０５、入庫日欄４１０、農薬名欄４２０、農薬在庫データ欄４２２、有効年月欄４２５、入庫数欄４３０、および入力者欄４４０を備えている。保存ボタン４０５は、端末利用者によってクリック可能なプッシュボタンであり、所定の情報を入力した後にプッシュされると、入力した情報が管理装置２０に送信されるものである。入庫日欄４１０は、新たに保管等する農薬の入庫日を入力するための入力欄である。農薬名欄４２０は、新たに保管等する農薬の名称を入力するための入力欄であり、農薬在庫データ欄４２２は、農薬名欄４２０に入力された農薬に関して記憶部２５に格納されている農薬在庫データにおける在庫データが表示される欄であり、有効年月欄４２５は、新たに保管等する農薬の有効年月を入力するための入力欄であり、入庫数欄４３０は、新たに保管等する農薬の新たな入庫数を入力するための入力欄である。入力者欄４４０は、農薬入庫台帳フォーマット４００に入力処理を施した入力者を入力するための入力欄である。つまり、この農薬入庫台帳フォーマット４００において端末利用者に入力された情報に基づいて、記憶部２５の農薬在庫データにおける農薬の種類毎の在庫数が更新されることとなる。なお、農薬入庫台帳フォーマット４００のデータにおいては、例えば、農薬名欄４２０に農薬名として「農薬Ａ」が入力されると、記憶部２５の農薬在庫データを参照して、農薬在庫データ欄４２２に「農薬Ａ」の在庫データが出力される、といったマクロ機能を有しているものとする。
【００２１】
図４−２に示すように、肥料入庫台帳フォーマット４５０は、端末利用者が新たに肥料を保管等する場合に、肥料在庫データを更新するために所定の情報を入力するためのフォーマットである。肥料入庫台帳フォーマット４５０は、保存ボタン４５５、入庫日欄４６０、肥料名欄４７０、肥料在庫データ欄４７２、入庫数欄４８０、および入力者欄４９０を備えており、各欄は、上述の農薬入庫台帳フォーマットにおける保存ボタン４０５、入庫日欄４１０、農薬名欄４２０、農薬在庫データ欄４２２、入庫数欄４３０、および入力者欄４４０と略同じ構成のものである。つまり、この肥料入庫台帳フォーマット４５０において端末利用者に入力された情報に基づいて、記憶部２５の肥料在庫データにおける肥料の種類毎の在庫数が更新されることとなる。
【００２２】
図５−１に示すように、農薬使用記録フォーマット５００は、端末利用者が農薬を使用した場合に、使用した農薬や圃場等に関する情報を入力するためのフォーマットである。農薬使用記録フォーマット５００は、保存ボタン５０５、使用日欄５１０、天候欄５１２、圃場名欄５１４、対象品種欄５１６、農薬名称欄５３０、使用量欄５３２、有効年月欄５３４、および入力者欄５４０を備えている。使用日欄５１０は、農薬を使用する使用日を入力するための入力欄であり、天候欄５１２は、当該農薬を使用した日の天候を入力するための入力欄であり、圃場名欄５１４は、当該農薬を使用した圃場名を入力するための入力欄であり、対象品種欄５１６は、当該農薬を使用した農作物の品種名を入力するための入力欄である。農薬名称欄５３０は、使用する農薬名称を入力するための入力欄であり、使用量欄５３２は、農薬名称欄５３０に入力した農薬の使用量を入力するための入力欄であり、有効年月欄５３４は、使用した農薬の有効年月を入力するための入力欄である。なお、保存ボタン５０５および入力者欄５４０は、上述の農薬入庫台帳フォーマット４００における保存ボタン４０５および入力者欄４４０と略同じ構成のものである。つまり、この農薬使用記録フォーマット５００において端末利用者に入力された情報に基づいて、記憶部２５における農薬使用データとして記憶されるとともに、農薬在庫データの在庫数が更新されることとなる。
【００２３】
図５−２に示すように、肥料使用記録フォーマット５５０は、端末利用者が肥料を使用した場合に、使用した肥料や圃場等に関する情報を入力するためのフォーマットである。肥料使用記録フォーマット５５０は、保存ボタン５５５、施肥日欄５６０、圃場名欄５６２、対象品種欄５６４、肥料名称欄５８０、使用量欄５８２、および入力者欄５９０を備えており、各欄は、上述の肥料使用記録フォーマット５５０における保存ボタン５０５、使用日欄５１０、圃場名欄５１４、対象品種欄５１６、農薬名称欄５３０、使用量欄５３２、および入力者欄５４０と略同じ構成のものである。つまり、この肥料使用記録フォーマット５５０において端末利用者に入力された情報に基づいて、記憶部２５における肥料使用データとして記憶されるとともに、肥料在庫データの在庫数が更新されることとなる。
【００２４】
［エラー報知の説明］
図６−１、および図６−２を用いて、次に、農薬使用記録フォーマット５００、および肥料使用記録フォーマット５５０におけるエラー報知の態様について説明する。図６−１は、農薬使用記録フォーマット５００におけるエラー報知の一例を示す図であり、図６−２は、肥料使用記録フォーマット５５０におけるエラー報知の一例を示す図である。
【００２５】
図６−１（ａ）に示すように、農薬使用記録フォーマット５００における農薬名称欄５３０に、農薬在庫データに記憶されていない「農薬Ｑ」が入力されて、保存ボタン５０５がクリックされると、当該入力情報に基づいて管理装置２０は、端末装置５０に対してエラー報知６１０を表示させるように、エラー報知データを送信する。具体的には、エラー報知６１０の「農薬在庫台帳に「農薬Ｑ」のデータがありません」といったような、農薬在庫データに「農薬Ｑ」に関するデータが存在しないことを示唆する内容の表示が追加される態様である。また、図６−１（ｂ）に示すように、農薬使用記録フォーマット５００における農薬名称欄５３０に農薬在庫データに記憶されている「農薬Ａ」が入力されるものの、使用量欄５３２に「農薬Ａ」の在庫数の「８０」を超えた値の使用量「１００」が入力されて、保存ボタン５０５がクリックされると、当該入力情報に基づいて管理装置２０は、端末装置５０に対してエラー報知６４０を表示させるように、エラー報知データを送信する。具体的には、エラー報知６４０の「農薬在庫台帳に「農薬Ａ」の在庫がありません」といったような、農薬在庫データにおける「農薬Ａ」の在庫数の「８０」を超えた使用量を使用していることを示唆する内容の表示が追加される態様である。
【００２６】
図６−２（ａ）に示すように、肥料使用記録フォーマット５５０における肥料名称欄５８０に、肥料在庫データに記憶されていない「肥料Ｑ」が入力されて、保存ボタン５５５がクリックされると、当該入力情報に基づいて管理装置２０は、端末装置５０に対してエラー報知６６０を表示させるように、エラー報知データを送信する。具体的には、エラー報知６６０の「肥料在庫台帳に「肥料Ｑ」のデータがありません」といったような、肥料在庫データに「肥料Ｑ」に関するデータが存在しないことを示唆する内容の表示が追加される態様である。また、図６−２（ｂ）に示すように、肥料使用記録フォーマット５５０における肥料名称欄５８０に肥料在庫データに記憶されている「肥料Ａ」が入力されるものの、使用量欄５８２に「肥料Ａ」の在庫数の「８０」を超えた値の使用量「１００」が入力されて、保存ボタン５５５がクリックされると、当該入力情報に基づいて管理装置２０は、端末装置５０に対してエラー報知６９０を表示させるように、エラー報知データを送信する。具体的には、エラー報知６９０の「肥料在庫台帳に「肥料Ａ」の在庫がありません」といったような、肥料在庫データにおける「肥料Ａ」の在庫数の「８０」を超えた使用量を使用していることを示唆する内容の表示が追加される態様である。
【００２７】
［第１実施形態の特徴］
上述の第１実施形態の農業管理支援システム１００によれば、端末装置５０から入力された農薬又は肥料の使用量に関する農薬／肥料使用量データと、記憶部２５の農薬又は肥料の在庫量に関する農薬／肥料在庫量データと、に基づく演算が管理装置２０の制御部２３で実行される。そして、制御部２３におけるこの演算の結果に基づいたエラー報知を端末装置５０に出力することができる。このような農業管理支援システム１００であれば、端末利用者である農業従事者等は、エラー報知によって入力ミス又は農薬／肥料在庫量データの更新／修正の作業の必要性を認知することができる。つまり、このような農業管理支援システム１００は、従来のシステムに比べて、農業従事者等にとって活用が容易なものとなっている。
【００２８】
特に、第１実施形態の農業管理支援システム１００によれば、管理装置２０の制御部２３は、端末装置５０から入力された農薬／肥料使用量データと記憶部２５の農薬／肥料在庫量データとを比較して、農薬／肥料使用量データの使用量が農薬／肥料在庫量データの在庫量に比べて多い場合には、その旨の内容のエラー報知を端末装置５０に出力することができる。このような農業管理支援システム１００であれば、端末利用者である農業従事者等は、エラー報知によって農薬又は肥料の使用量に関する入力ミスと、農薬／肥料在庫量データのミスとのうちのいずれかが、エラーの原因であることを認知することができる。つまり、このような農業管理支援システム１００は、従来のシステムに比べて、農業従事者等にとって活用が容易なものとなっている。
【００２９】
［第２実施形態の説明］
次に、本発明の第２実施形態の農業管理支援システムの構成について説明する。なお、第２実施形態の農業管理支援システムは、第１実施形態の農業管理支援システムと略同じ構成であり、管理装置２０、複数台の端末装置５０、および通信ネットワーク６０から構成されている。したがって、以下に説明する第２実施形態の農業管理支援システムにおいて、第１実施形態と同じ構成のものは、第１実施形態と同じ符号を使用して詳細な説明を省略する。
【００３０】
図７を用いて、第２実施形態の農業管理支援システムの管理装置２０の記憶部２５に記憶されているデータ構成について説明する。図７は、第２実施形態の管理装置２０の記憶部２５に記憶されたデータ構成の一例を示す図であり、（ａ）は、農薬成分データの一例を示す図であり、（ｂ）は、品種別有効成分データの一例を示す図である。第２実施形態の農業管理支援システムにおいて、管理装置２０の記憶部２５には、第１実施形態のような農薬在庫データ、肥料在庫データ等に加えて、これらの農薬成分データ、および品種別有効成分データが記憶されている。
【００３１】
図７（ａ）に示すように、農薬成分データは、農業管理支援システムの端末利用者にて保持／保管している農薬における複数の有効成分と含有割合が、農薬名称（農薬の種類）毎のデータベースとして記憶部２５に記憶されているデータである。また、図７（ｂ）に示すように、品種別有効成分データは、農業管理支援システムの端末利用者にて栽培している品種に対して農薬における複数の有効成分と適切な量が、品種名称毎のデータベースとして記憶部２５に記憶されているデータである。なお、これら農薬成分データおよび品種別有効成分データは、端末利用者が端末装置５０にて入力した情報を基にして生成されているものであるが、管理端末２０の管理者にて一般的な農薬や品種に関する情報に基づいて生成されていてもよい。
【００３２】
図８を用いて、次に、第２実施形態の管理装置２０で実行される基本処理について説明する。図８は、第２実施形態の管理装置２０における基本処理の流れを示すフローチャートである。なお、図８に示すように、第２実施形態の管理装置２０における基本処理のうちで、Ｓ３１０〜Ｓ３２５の処理については、第１実施形態の管理装置２０における基本処理と同じ処理であるため、詳細な説明を省略する。第２実施形態の管理装置２０は、Ｓ３２５での所定の演算処理の結果に基づいて、Ｓ８３０で所定の報知処理を実行するか否かを判定する。そして、所定の報知処理を実行すると判定した場合（Ｓ８３０でＹＥＳ）は、Ｓ８４０で所定の報知処理がエラー報知であるか否かを判定し、エラー報知であると判定した場合（Ｓ８４０でＹＥＳ）はＳ８４５でエラー報知を実行してからこの基本処理を終了し、エラー報知でないと判定した場合（Ｓ８４０でＮＯ）はＳ８５０でサポート報知を実行してＳ８６０で所定の演算処理の結果を記憶部に格納してからこの基本処理を終了する。一方、所定の報知処理を実行しないと判定した場合（Ｓ８３０でＮＯ）は、エラー報知やサポート報知を実行しないで、Ｓ８６０で所定の演算処理の結果を記憶部に格納してからこの基本処理を終了する。つまり、これらの処理によって、第１実施形態の農業管理支援システム１００で実行していたエラー報知に加えて、農業従事者である端末利用者にとって農業管理に有益な情報の報知であるサポート報知が実行されることとなる。
【００３３】
［サポート報知の説明］
図９を用いて、次に、農薬使用記録フォーマット５００におけるサポート報知の態様について説明する。図９は、農薬使用記録フォーマット５００におけるサポート報知の一例を示す図である。図９（ａ）に示すように、農薬使用記録フォーマット５００において、図示しない対象品種欄５１６に「品種Ａ」、農薬名称欄５３０に「農薬Ａ」、使用量欄５３２に「２５」が入力されて、保存ボタン５０５がクリックされると、当該入力情報に基づいて管理装置２０は、端末装置５０に対してサポート報知９１０を表示させるように、サポート報知データを送信する。具体的には、サポート報知９１０の「次回の「農薬Ａ」の推奨使用量「２５」」といったように、農薬の使用量に関して農業従事者をサポートするような内容の表示が追加される態様である。このとき、管理装置２０では、農薬成分データおよび品種別有効成分データに基づいて、「品種Ａ」に対する「農薬Ａ」の推奨使用量を算出し、その算出された推奨使用量から使用量欄５３２に入力された数値を減算した結果に基づいたサポート報知９１０を表示するような処理が実行される。
【００３４】
図９（ｂ）に示すように、農薬使用記録フォーマット５００において、図示しない対象品種欄５１６に「品種Ａ」、農薬名称欄５３０に「農薬Ａ」、使用量欄５３２に「８０」が入力されて、保存ボタン５０５がクリックされると、当該入力情報に基づいて管理装置２０は、端末装置５０に対してサポート報知９４０を表示させるように、サポート報知データを送信する。具体的には、サポート報知９４０の「「農薬Ａ」の推奨使用量「５０」」といったように、農薬の使用量に関して農業従事者をサポートするような内容の表示が追加される態様である。このとき、管理装置２０では、農薬成分データおよび品種別有効成分データに基づいて、「品種Ａ」に対する「農薬Ａ」の推奨使用量を算出し、その算出された推奨使用量と使用量欄５３２に入力された数値とを比較して使用量欄５３２に入力された数値の方が大きい場合にサポート報知９４０を表示するような処理が実行される。
【００３５】
なお、上述のサポート報知の態様としては、農薬の使用に関するサポート報知であったが、肥料の使用に関するサポート報知を実行してもよい。この肥料の使用に関するサポート報知は、上述の農薬成分データおよび品種別有効成分データと略同様のものであって、肥料に関する成分データおよび品種別有効成分データを記憶部２５に格納させておき、肥料使用記録フォーマット５５０を介した入力情報に基づき、肥料の使用に関するサポート報知を実行するような構成にすることが考えられる。
【００３６】
［第２実施形態の特徴］
上述の第２実施形態の農業管理支援システム１００によれば、管理装置２０の制御部２３は、端末装置５０から入力された農薬／肥料使用量データと記憶部２５の成分データおよび品種別有効成分データとを比較して、農薬／肥料の使用に関する推奨使用量を算出し、推奨使用量に関する内容のサポート報知を端末装置５０に出力することができる。このような農業管理支援システム１００であれば、端末利用者である農業従事者等は、サポート報知によって農作業に関する有益な情報を取得することができるため、従来のシステムに比べて、農業従事者等にとって活用が容易且つ有益なものとなっている。
【００３７】
［その他の実施形態］
（ア）上記の実施形態では、農薬使用記録フォーマット５００、および肥料使用記録フォーマット５５０におけるエラー報知は、保存ボタン５０５がクリックされて管理装置２０における入力情報の受信後の所定の演算処理の実行後に実行されるものとしたが、農薬使用記録フォーマット５００、および肥料使用記録フォーマット５５０の所定の入力欄に入力されると、管理装置２０に入力情報が送信されて基本処理が実行される、といったマクロ機能を有する農薬使用記録フォーマット５００、および肥料使用記録フォーマット５５０のデータを利用するようにしてもよい。
【００３８】
（イ）上記の実施形態では、エラー報知の態様として、農薬の使用に関する内容であったが、入力する文字が全角／半角の違いといった入力ミスに基づくエラー報知を実行するようにしてもよい。このとき、農薬使用記録フォーマット５００、および肥料使用記録フォーマット５５０のデータには、種々の入力ミスを判断してエラー報知をするようなマクロ機能を備えるような構成にすることで実現することができる。
【００３９】
（ウ）上記の実施形態では、農薬使用記録フォーマット５００、および肥料使用記録フォーマット５５０において、農薬や肥料の使用量を入力するための使用量欄５３２，５８２が設けられていたが、農薬や肥料の使用に関するものとして、農薬や肥料の１年のうちの使用回数を入力するための年使用回数欄や、農薬や肥料を使用してから収穫までの推奨日数が出力される収穫前日数欄を設けてもよい。この年使用回数欄が設けられたフォーマットにおけるエラー報知の態様としては、例えば、記憶部２５に農薬／肥料の種類毎に上限の年使用回数を予め設定したうえで、年使用回数欄に上限の年使用回数を超えた回数を入力すると、上限の年使用回数を超えて農薬や肥料を使用していることを示唆する内容の表示が追加される態様であってもよい。また、年使用回数欄や収穫前日数欄が設けられたフォーマットにおけるサポート報知の態様としては、例えば、記憶部２５に農薬／肥料の種類毎に上限の年使用回数や推奨の収穫前日数を予め設定したうえで、年使用回数欄に上限の年使用回数未満の回数を入力したときに残りの使用回数を示唆する内容の表示が追加されたり、使用日欄５１０，農薬名称欄５３０，肥料名称欄５８０，施肥日欄５６０の入力内容と記憶部２５５における農薬／肥料の種類毎の推奨の収穫前日数とに基づいて算出された日数が推奨の日数である旨とともに収穫前日数欄に出力されたり、するような態様であってもよい。
【００４０】
（エ）上記の実施形態では、種々のフォーマットに入力した内容が、農薬在庫データ、肥料在庫データ、農薬使用データ、肥料使用データ等として記憶部２５に記憶されるものとしたが、例えば、これらのデータが端末装置５０に接続されているプリンタにて出力されるものとしてもよい。上述の実施形態の農業管理支援システムは、種々のＧＡＰ認証において活用するものであり、例えば、当該ＧＡＰ認証の申請において、紙媒体の申請書での申請をする場合には、記憶部２５に記憶されているデータのうちで必要なものが申請用様式に準拠したようなフォーマットで端末装置５０のプリンタにて出力されるものとしてもよい。また、当該ＧＡＰ認証の申請において、インターネット６０を介して電子データでの申請をする場合には、申請用様式に準拠したようなフォーマットで端末装置５０の出力画面に出力されて、端末装置５０における操作で申請することができるようなものであってもよい。
【００４１】
以上、実施形態、変形例に基づき本発明について説明してきたが、上記した発明の実施の形態は、本発明の理解を容易にするためのものであり、本発明を限定するものではない。本発明は、その趣旨並びに特許請求の範囲を逸脱することなく、変更、改良され得ると共に、本発明にはその等価物が含まれる。
【符号の説明】
【００４２】
２０…管理装置、２１…本体部、２３…制御部、２５…記憶部、５０…端末装置、６０…通信ネットワーク／インターネット、１００…農業管理支援システム、４００…農薬入庫台帳フォーマット、４５０…肥料入庫台帳フォーマット、５００…農薬使用記録フォーマット、５５０…肥料使用記録フォーマット、６１０，６４０，６６０，６９０…エラー報知、９１０，９４０…サポート報知。
【図１】
2020013184.tif 000003
【図２】
2020013184.tif 000004
【図３】
2020013184.tif 000005
【図４−１】
2020013184.tif 000006
【図４−２】
2020013184.tif 000007
【図５−１】
2020013184.tif 000008
【図５−２】
2020013184.tif 000009
【図６−１】
2020013184.tif 000010
【図６−２】
2020013184.tif 000011
【図７】
2020013184.tif 000012
【図８】
2020013184.tif 000013
【図９】
2020013184.tif 000014